(57)【要約】【課題】ＤＶＤ−Ｒ／ＲＷ等のランドプリピット（ＬＰＰ）を有する光ディスク装置において、同期情報形成時のＬＰＰの影響を抑制する。【解決手段】ＤＶＤ−Ｒ／ＲＷドライブのエンコーダは、同期フレームの先頭に１４Ｔの同期情報を挿入しながらデータを記録する。エンコーダ１８は、連続した複数回のうち第ｉ番目（ｉは０以上の整数）及び第ｉ＋１番目の同期情報をそれぞれＤＳＶが最小となるようにマークあるいはスペースのいずれかに設定し、第ｉ＋２番目の同期情報を第ｉ番目の同期情報の反対極性、第ｉ＋３番目の同期情報を第ｉ＋１番目の同期情報の反対極性となるように同期情報を設定する。これにより、奇数フレームあるいは偶数フレームのいずれの同期情報においても、２フレームのうちの１フレームの同期情報は常にスペースとなるように設定する。【選択図】図１
2006099879.tif 000002
【特許請求の範囲】
【請求項１】
フレーム毎に同期情報を挿入しつつ光ディスクにデータを記録する光ディスク装置であって、
連続した複数回のうち第ｉ番目（ｉは０以上の整数）及び第ｉ＋１番目は、それぞれＤＳＶが最小となるようにマークあるいはスペースのいずれかの極性で前記同期情報を設定し、第ｉ＋２番目は第ｉ番目の反対極性、第ｉ＋３番目は第ｉ＋１番目の反対極性となるように前記同期情報を設定する同期制御手段
を有することを特徴とする光ディスク装置。
【請求項２】
フレーム毎に同期情報を挿入しつつ光ディスクにデータを記録する光ディスク装置であって、
連続した複数回のうち第ｉ番目（ｉは０以上の整数）はＤＳＶが最小となるようにマークあるいはスペースのいずれかの極性で前記同期情報を設定し、第ｉ＋１番目及び第ｉ＋２番目は第ｉ番目の反対極性、第ｉ＋３番目は第ｉ番目と同一極性となるように前記同期情報を設定する同期制御手段
を有することを特徴とする光ディスク装置。
【請求項３】
フレーム毎に同期情報を挿入しつつ光ディスクにデータを記録する光ディスク装置であって、
連続した複数回のうち第ｉ番目（ｉは０以上の整数）は、ＤＳＶが最小となるようにマークあるいはスペースのいずれかの極性で前記同期情報を設定し、第ｉ＋１番目は第ｉ番目と同一極性、第ｉ＋２番目及び第ｉ＋３番目は第ｉ番目の反対極性となるように前記同期情報を設定する同期制御手段
を有することを特徴とする光ディスク装置。
【発明の詳細な説明】
【技術分野】
【０００１】
本発明は光ディスク装置、特にプリピットを備えた光ディスクに対して記録／再生を行う装置に関する。
【背景技術】
【０００２】
ＤＶＤ−ＲドライブやＤＶＤ−ＲＷドライブ等の光ディスク装置においては、光ディスクに予め形成されたアドレス情報を復調してアドレスを確定しデータの記録／再生を行う。アドレス情報の形成方法としては、トラックを蛇行（ウォブル）させて埋め込む他、情報記録トラックであるグルーブに隣接するランドにプリピット形成する方法がある。なお、ＤＶＤ−ＲＡＭでは情報記録トラックはランドとグルーブであり、エンボス部とデータ部からなるエリアのエンボス部にアドレス情報を埋め込んでいる。本願においては、ランドにプリピット形成されたランドプリピット（ＬＰＰ）を対象とする。
【０００３】
以下、ランドプリピットＬＰＰについて説明する。
【０００４】
１ＥＣＣブロックは０〜１５の１６個のセクタから構成され、各セクタは０〜２５の合計２６個のフレームから構成される。２６個のフレームは、偶数（ｅｖｅｎ）フレームと奇数（ｏｄｄ）フレームに分けることができる。ＬＰＰは、通常、偶数フレームの先頭に配置される。但し、隣接トラックの状態によっては、偶数フレームではなく奇数フレームに配置される場合もある。各ＬＰＰは３ビットのデータから構成され、合計１３個のフレームの先頭に配置される。ＬＰＰは、１セクタにおいて３ビット×１３個の情報から構成される。例えば第０セクタの第０フレームには「１１１」が記録され、第１０フレームには「１０Ｘ」が記録される。「１００」はデータ値０を表し、「１０１」はデータ値１を表す。第０〜第８フレームまではアドレスを規定する領域であり、その他のフレームはユーザデータとして用いられる。ユーザデータは光ディスクの工場出荷時に定められる。
【０００５】
一方、ウォブル信号は、情報記録トラックであるグルーブの所定周波数（１４０ｋＨｚ）の蛇行により形成され、ＬＰＰの各ビットはウォブル信号のピークに同期して形成される。このようにＬＰＰはウォブル信号に同期して形成されており、光ディスクからＬＰＰを検出する際には、光ディスクからの反射光を光ピックアップの受光素子で受光し、その再生信号（ウォブル信号とＬＰＰ信号とが重畳した信号）をしきい値を用いて二値化することで抽出する。ＬＰＰ信号は振幅変動するウォブル信号に重畳しているのでウォブル信号振幅の変動によりＬＰＰ信号レベルも変動する。したがって、固定しきい値で二値化したのでは正確にＬＰＰ信号を抽出することが困難である。そこで、ウォブル信号が最大振幅となる所定期間のみゲートを開き、ゲートが開かれた時のみＬＰＰ信号を通過させる技術等が提案されている。
【０００６】
【特許文献１】特開２００２−２７９６４２号公報
【特許文献２】特開２００３−５９１８４号公報
【特許文献３】特開２００３−９１８１９号公報
【発明の開示】
【発明が解決しようとする課題】
【０００７】
データを記録する際には各フレームの先頭に１４Ｔ（Ｔは基準信号長）の同期情報を記録するが、ＤＶＤ−Ｒ等の規格においては、１４Ｔの同期情報としてマーク（記録パワーのレーザ光を照射してピットを形成する）、スペース（再生パワーのレーザ光を照射するのみでピットは形成されない）のいずれかを選択することができるようになっており、同期情報としてマークを選択した場合に、記録時にＬＰＰに対して影響を与えてしまう、あるいはＬＰＰの再生時にマークの影響を受けてしまう等の問題があった。
【０００８】
すなわち、ＬＰＰはウォブル信号に同期して形成されており、ウォブル信号のピークにＬＰＰ信号が重畳している。ＬＰＰ信号が十分なレベルを有する限り、適当な二値化しきい値やウインドウ設定によりＬＰＰ信号を抽出することは可能であるが、ＬＰＰの位置に１４Ｔのマークで同期情報を記録するべくレーザ光パワーを変調して光ディスクに照射すると、照射されたレーザ光パワーにより１４Ｔのマークを形成する過程において隣接するランドにも熱拡散し、隣接するランドのＬＰＰに変形等が生じてＬＰＰ信号レベルが低下してしまう場合がある。また、１４Ｔのマークで同期情報を記録した後に再生する場合、ウォブル信号にＬＰＰ信号が重畳しているが、ＬＰＰ信号は１４Ｔマークの記録の影響を受けてＬＰＰが歪み、その信号レベルが低下してしまう場合がある。１４Ｔマーク部分はピットとなるためそれ自身の反射率も低下していることと相俟って、再生信号からＬＰＰ信号を抽出することが困難となる。
【０００９】
また、データ記録後にデータを再生する場合においても、同様に問題が生じ得る。すなわち、１４Ｔの同期情報とＬＰＰの同期位置とは同期した位置に存在するため、再生信号の１４Ｔの部分にＬＰＰ信号が含まれることとなり、１４Ｔの同期情報の検出エラーが生じるおそれもある。
【００１０】
なお、上記の特許文献３には、ＲＯＰＣ（Running Optimum Power Control）を確実に実行するために同期情報としてマークとスペースが交互に配置されるように制御する技術が示されており、偶数フレームの先頭にＬＰＰが存在する場合に偶数フレームの同期情報を常にスペースとなるように制御すればＬＰＰに対する影響を回避することが可能であるが、ＬＰＰは奇数フレームに配置される場合もあるので十分な対策となっていない。
【００１１】
本発明の目的は、ランドプリピットＬＰＰを有する光ディスクにデータを記録／再生する際に、ＬＰＰを確実に検出してアドレス情報を得ることができるとともに、記録したデータを確実に再生することができる光ディスク装置を提供することにある。
【課題を解決するための手段】
【００１２】
本発明は、フレーム毎に同期情報を挿入しつつ光ディスクにデータを記録する光ディスク装置であって、連続した複数回のうち第ｉ番目（ｉは０以上の整数）及び第ｉ＋１番目は、それぞれＤＳＶが最小となるようにマークあるいはスペースのいずれかの極性で前記同期情報を設定し、第ｉ＋２番目は第ｉ番目の反対極性、第ｉ＋３番目は第ｉ＋１番目の反対極性となるように前記同期情報を設定する同期制御手段を有することを特徴とする。
【００１３】
本発明では、第ｉ番目と第ｉ＋２番目の同期情報が常に反対極性となるため、例えば第ｉ番目の同期情報が偶数フレームである場合には第ｉ番目あるいは第ｉ＋２番目のいずれかの同期情報がスペースとなり、偶数フレームにランドプリピットＬＰＰが形成されている場合でもＬＰＰの影響を抑制できる。そして、第ｉ＋１番目と第ｉ＋３番目の同期情報も常に反対極性となるため、奇数フレームにＬＰＰが形成されている場合でも第ｉ＋１番目あるいは第ｉ＋３番目のいずれかの同期情報がスペースとなるので同様にＬＰＰの影響を抑制できる。さらに、偶数フレームあるいは奇数フレームのいずれにおいても、２つのフレームの同期情報のいずれかはマークとなるため、マークのタイミングでＲＯＰＣを実行することもできる。さらに、第ｉ番目と第ｉ＋１番目の同期情報はＤＳＶに基づいてその極性が設定されるので、ＤＣ成分を抑制できる。
【００１４】
また、本発明は、フレーム毎に同期情報を挿入しつつ光ディスクにデータを記録する光ディスク装置であって、連続した複数回のうち第ｉ番目（ｉは０以上の整数）はＤＳＶが最小となるようにマークあるいはスペースのいずれかの極性で前記同期情報を設定し、第ｉ＋１番目及び第ｉ＋２番目は第ｉ番目の反対極性、第ｉ＋３番目は第ｉ番目と同一極性となるように前記同期情報を設定する同期制御手段を有することを特徴とする。
【００１５】
本発明でも、第ｉ番目と第ｉ＋２番目の同期情報が常に反対極性となるため、例えば第ｉ番目の同期情報が偶数フレームである場合にはこれらのいずれかの同期情報がスペースとなり、偶数フレームにランドプリピットＬＰＰが形成されている場合でもＬＰＰの影響を抑制できる。そして、第ｉ＋１番目と第ｉ＋３番目の同期情報も常に反対極性となるため、奇数フレームにＬＰＰが形成されている場合でもこれらのいずれかの同期情報はスペースとなるので同様にＬＰＰの影響を抑制できる。さらに、偶数フレームあるいは奇数フレームのいずれにおいても２つのフレームのいずれかの同期情報はマークとなるため、マークのタイミングでＲＯＰＣを実行することもできる。
【００１６】
また、本発明は、フレーム毎に同期情報を挿入しつつ光ディスクにデータを記録する光ディスク装置であって、連続した複数回のうち第ｉ番目（ｉは０以上の整数）は、ＤＳＶが最小となるようにマークあるいはスペースのいずれかの極性で前記同期情報を設定し、第ｉ＋１番目は第ｉ番目と同一極性、第ｉ＋２番目及び第ｉ＋３番目は第ｉ番目の反対極性となるように前記同期情報を設定する同期制御手段を有することを特徴とする。
【００１７】
本発明でも、第ｉ番目と第ｉ＋２番目の同期情報が常に反対極性となるため、例えば第ｉ番目の同期情報が偶数フレームである場合にはこれらのいずれかの同期情報がスペースとなり、偶数フレームにランドプリピットＬＰＰが形成されている場合でもＬＰＰの影響を抑制できる。そして、第ｉ＋１番目と第ｉ＋３番目の同期情報も常に反対極性となるため、奇数フレームにＬＰＰが形成されている場合でもこれらのいずれかの同期情報はスペースとなるので同様にＬＰＰの影響を抑制できる。さらに、偶数フレームあるいは奇数フレームのいずれにおいても２つのフレームのいずれかの同期情報はマークとなるため、マークのタイミングでＲＯＰＣを実行することもできる。
【発明の効果】
【００１８】
本発明によれば、偶数フレームあるいは奇数フレームのいずれにおいても、その２つのフレームの同期情報のいずれかを常にスペースに設定できるので、ＬＰＰの部分で同期情報をマークとして記録する場合のＬＰＰの欠落や同期情報の検出エラーを抑制することができる。また、偶数フレームあるいは奇数フレームのいずれにおいても、その２つのフレームの同期情報のいずれかを常にマークに設定できるのでＲＯＰＣも確実に実行できる。
【発明を実施するための最良の形態】
【００１９】
以下、図面に基づき本発明の実施形態について、光ディスクとしてＤＶＤ−Ｒを例にとり説明する。
【００２０】
＜第１実施形態＞
図１には、本実施形態に係る光ディスク装置の構成ブロック図が示されている。光ディスク（ＤＶＤ−Ｒ）１０はスピンドルモータ１２によりＣＡＶ（あるいはＣＬＶ）回転駆動される。光ディスク１０の情報記録トラックであるグルーブの間の領域（ランド）には所定の間隔でプリピット（ランドプリピット：ＬＰＰ）が形成されており、このプリピットを検出することで光ディスク１０の面内位置を特定することができる。
【００２１】
光ピックアップ１４は、光ディスク１０に対向配置され、記録パワーのレーザー光を光ディスク１０に照射してデータを記録するとともに、再生パワーのレーザ光を照射して記録データを再生する。記録時には、コントローラ２０からの記録データをエンコーダ１８にて変調し、さらにＬＤ駆動部１６にて駆動信号に変換して光ピックアップ１４のレーザダイオード（ＬＤ）を駆動する。再生時には、光ピックアップ１４で電気信号に変換された戻り光量をＲＦ信号処理部２２に供給し、さらにデコーダ２４にて復調した後、再生データとしてコントローラ２０に供給する。
【００２２】
ＲＦ信号処理部２２は、アンプやイコライザ、２値化部、ＰＬＬ部などを有し、ＲＦ信号をブーストした後２値化し、同期クロックを生成してデコーダ２４に出力する。また、再生ＲＦ信号はプリピット検出部２６にも供給する。
【００２３】
プリピット検出部２６は、再生ＲＦ信号に含まれる、グルーブに隣接するランド（グルーブの外周側に隣接するランド）に形成されたプリピットＬＰＰの信号成分を検出し、コントローラ２０に供給する。
【００２４】
コントローラ２０は、マイコン等で構成され、記録データをエンコーダ１８に供給するとともに、検出されたプリピット情報をエンコーダ１８に供給する。エンコーダ１８は、記録データを変調するとともに、このプリピット検出情報に基づき同期情報を周期的に挿入してＬＤ駆動部１６にデータ信号を供給する。エンコーダ１８の詳細については後述する。
【００２５】
なお、この他にもフォーカスエラー信号やトラッキングエラー信号を生成し、フォーカスサーボ及びトラッキングサーボによりフォーカス及びトラッキングを制御するサーボ系があるが、これについては従来と同一であるので説明は省略する。また、データを記録する際のストラテジについても従来と同様の記録ストラテジを用いることができる。すなわち、再生レベルに記録パルスを重畳して記録パワーのレーザ光とするとともに、１つのピットを形成するのに１つの記録パルスを用いるのではなく複数のパルス（マルチパルス）を用いて記録する。具体的には、３Ｔについては１パルスとし、４Ｔ以上（１４Ｔを含む）についてはマルチパルスで記録する。
【００２６】
また、本実施形態に係る光ディスク装置では、ＯＰＣ（Optimum Power Control）及びＲＯＰＣ（Running Optimum Power Control）を実行して記録パワーの最適化を図る。すなわち、記録に先立ち、コントローラ２０はエンコーダ１８にテストデータを供給し、記録パワーを複数段階に変化させて該テストデータを光ディスク１０のＰＣＡエリアに記録する。そして、記録された該テストデータを再生パワーで再生し、そのときの再生ＲＦ信号のβ値等から最適の記録パワーを選択してデータを記録する。さらに、コントローラ２０は、データ記録時の戻り光量を周期的に検出し、そのレベルＢ（ピット形成後の反射レベル）が予め定められメモリに記憶されている一定値と一致するか否かを判定し、一致しない場合にはその大小関係に応じてＬＤ駆動部１６を制御し記録パワーを増減調整する。本実施形態におけるＲＯＰＣは、同期情報に含まれる１４Ｔのピット長形成時（マーク）に実行される。
【００２７】
図２には、本実施形態における光ディスク１０の記録方式が模式的に示されている。既述したように、光ディスク１０にはグルーブの間の領域であるランドに所定の間隔でプリピット１００が形成されている。一方、グルーブに記録されるデータは予め情報単位であるＳＹＮＣフレームごとに分割され、第０フレーム〜第２５フレームの計２６個のＳＹＮＣフレームで１セクタが構成され、１６セクタで１ＥＣＣブロックが構成される。そして、各々のＳＹＮＣフレームの先頭にＳＹＮＣフレーム毎の同期を取るための同期情報（ＳＹＮＣあるいはＳＹ）２００が挿入される。同期情報ＳＹＮＣとしては、確実にＳＹＮＣフレーム同期がとれるようにデータ変調部分に出現する最長の１１Ｔよりも十分長い１４Ｔが用いられる。そして、ＤＶＤ−Ｒの規格では、１４Ｔの同期情報としてはマーク、スペースのいずれかを選択することができ、本実施形態におけるエンコーダ１８は１４Ｔの同期情報を所定の規則に従って選択してデータ列に挿入する。
【００２８】
なお、図２においてグルーブは所定の周波数でウォブル（蛇行）しているが、これは、ウォブル周波数を検出することにより光ディスク１０の回転数を検出するためである。
【００２９】
図３には、ＳＹＮＣフレームと同期情報（ＳＹ）及びプリピットとの関係が模式的に示されている。ＳＹＮＣフレームは、偶数フレーム（ＥＶＥＮフレーム）と奇数フレーム（ＯＤＤフレーム）に大別され、プリピットは通常偶数フレームに対応させて形成される。但し、記録すべきグルーブの両隣のランドの略同一位置にプリピットが配置された場合には、戻り光に２つのプリピット成分が混入してしまうので、このような干渉をさけるために奇数フレームにシフトして配置される。また、ウォブル周波数はＳＹＮＣフレーム周波数の８倍となっており、プリピットは１つのＳＹＮＣフレーム中の最初の３つのウォブルの頂点に位置するように配置され、そのうちの最初のプリピットが同期位置を示すＳＹＮＣプリピットとなる。光ディスク装置は、再生信号からこのＳＹＮＣプリピットを検出することで同期位置を検出または予測でき、この同期位置に同期情報（ＳＹＮＣデータ）の１４Ｔを割り当ててデータを記録する。
【００３０】
以下、エンコーダ１８の構成及びその処理について説明する。
【００３１】
図４には、図１におけるエンコーダ１８の詳細な機能ブロック図が示されている。エンコーダ１８は、変調器１８ａ、ＤＳＶ演算部１８ｂ、ＳＹＮＣ生成部１８ｅ、ＳＹＮＣ選択部１８ｇおよび選択スイッチ１８ｃ、１８ｄ、１８ｆを含んで構成される。
【００３２】
変調器１８ａは、コントローラ２０から供給された記録データを８／１６変換し、３Ｔ〜１１Ｔの信号を生成して選択スイッチ１８ｃに供給する。なお、変調器１８ａは、記録データに基づき２種類（メイン変調データおよびサブ変調データ）のデータを生成して選択スイッチ１８ｃに供給する。２種類の変調データを生成するのは、ＤＳＶ演算部１８ｂにてＤＳＶが最小となる変調データを選択できるようにするためである。
【００３３】
ＤＳＶ演算部１８ｂは、ＬＤ駆動部１６に供給される変調後のデータ系列、すなわち光ディスク１０に記録されるデータのＤＳＶ値を演算し、この演算結果に基づいて選択スイッチ１８ｃに選択信号を供給し変調データを選択する。ここで、ＤＳＶとは２つの状態をとるビット列の一方の状態（例えば１）を＋１、他方の状態（例えば０）を−１としてビット列の先頭から累積した値である。このＤＳＶの絶対値が小さければ低周波成分が小さいことになり、低周波成分を抑制して記録再生品質を向上させることができる。選択スイッチ１８ｃでＤＳＶ値に基づき選択された変調データは、次に選択スイッチ１８ｄに供給される。
【００３４】
選択スイッチ１８ｄは、変調データと同期情報とを切り換えるためのスイッチであり、コントローラ２０からのプリピット検出データ（データ／ＳＹＮＣ選択データ）及びクロックに基づき切り換えられる。すなわち、コントローラ２０からプリピット検出データ（例えば偶数フレーム）及びそこから所定クロックがカウントされた（例えば奇数フレーム）場合には、同期情報を挿入するタイミングであるため選択スイッチ１８ｄはＳＹＮＣデータ側に切り換えて出力し、それ以外のタイミングにおいては選択スイッチ１８ｃから供給された変調データ側に切り換えてＬＤ駆動部１６に出力する。これにより、同期位置に同期情報を挿入することが可能となる。選択スイッチ１８ｄからの変調データ／ＳＹＮＣは、ＮＲＺＩ方式に変換後、ＬＤ駆動部１６に供給される。
【００３５】
ＳＹＮＣ生成部１８ｅは、１４Ｔの同期情報を生成するものであり、前のＳＹＮＣフレームとの接続部分、つまり直前の変調データに依存して決定する、１４Ｔがマークとなるパターン（Ａパターン）と１４Ｔがスペースとなるパターン（Ｂパターン）の２つのパターンを生成して選択スイッチ１８ｆに供給する。
【００３６】
選択スイッチ１８ｆはＡパターン（マーク）、Ｂパターン（スペース）のいずれかを選択するスイッチであり、その選択はＳＹＮＣ選択部１８ｇにて制御される。ＳＹＮＣ選択部１８ｇは、第ｉ番目及び第ｉ＋１番目の同期情報についてはＤＳＶ演算部１８ｂから供給されたＤＳＶが最小となるようなパターンを選択し、第ｉ＋２番目の同期情報については第ｉ番目の同期情報の極性と反対の極性となるようにパターンを選択し、第ｉ＋３番目の同期情報については第ｉ＋１番目の同期情報の極性と反対の極性となるようにパターンを選択する。すなわち、ＳＹＮＣ選択部１８ｇは、第ｉ番目と第ｉ＋２番目の同期情報を対とし、第ｉ＋１番目と第ｉ＋３番目の同期情報を対として、各対の同期情報の極性が反対となるように制御する。第ｉ番目と第ｉ＋２番目に着目すると第ｉ番目の同期情報はＤＳＶが最小となるように設定されるためＤＣ成分を抑制することができる。また、第ｉ番目と第ｉ＋２番目の同期情報は常にその極性が反対となるため、いずれかの同期情報は常にマークとなってＲＯＰＣを実行することができる。また、いずれかの同期情報は常にスペースとなるため、第ｉ番目及び第ｉ＋２番目の同期情報が偶数フレームである場合には、ＬＰＰとの干渉を抑制することができる。ＬＰＰが奇数フレームに存在する場合にも、第ｉ＋１番目と第ｉ＋３番目の同期情報は２回に１回がスペースとなるため、同様にＬＰＰへの影響を抑制できる。選択スイッチ１８ｆからの同期情報は上述した選択スイッチ１８ｄに供給され、同期位置に挿入される。
【００３７】
図５には、エンコーダ１８内のＳＹＮＣ選択部１８ｇにおける処理フローチャートが示されている。
【００３８】
まず、フレーム番号ｉを０に初期化し（Ｓ１０１）、第ｉ番目の同期情報についてはその極性をＤＳＶが最小となる極性に設定する（Ｓ１０２）。これにより、第０フレームの１４Ｔ同期情報は例えばマークに設定される。次に、第ｉ＋１番目の同期情報についてもその極性をＤＳＶが最小となる極性に設定する（Ｓ１０３）。これにより、第１フレームの１４Ｔ同期情報は例えばスペースに設定される。次に、第ｉ＋２番目の同期情報については第ｉ番目の同期情報と反対の極性になるように設定する（Ｓ１０４）。これにより、第２フレームの１４Ｔ同期情報は第０フレームがマークであるときにはその反対極性のスペースに設定される。次に、第ｉ＋３番目の同期情報については第ｉ＋１番目の同期情報と反対の極性になるように設定する（Ｓ１０５）。これにより、第３フレームの１４Ｔ同期情報は第１フレームがスペースであるときにはその反対極性のマークに設定される。以上のようにして連続する４つの同期情報についてその極性をマークあるいはスペースのいずれかに設定した後、フレーム番号ｉを４だけインクリメントし、再びＳ１０２〜Ｓ１０５の処理を繰り返す。
【００３９】
図６には、以上のようにして設定された１４Ｔ同期情報２００の様子が示されている。第０フレームはマーク、第１フレームはスペース、第２フレームはスペース、第３フレームはマーク、第４フレーム及び第５フレームはＤＳＶが最小となるようにマーク、マークに設定される。第０フレーム及び第２フレームがＬＰＰの形成される偶数フレームとすれば、それぞれマーク、スペースとなっており、２つの偶数フレームの同期情報のうちの１つは必ずスペースとなるためＬＰＰの影響を抑制できる。すなわち、スペース部分においてＬＰＰの欠落を防止できるとともに、１４Ｔ同期情報を確実に再生できる。また、第１フレーム及び第３フレームがＬＰＰの形成されない奇数フレームとすれば、それぞれスペース、マークとなっており、２つの奇数フレームの１つの同期情報は必ずマークとなるためこの部分でＲＯＰＣを実行することができる。もちろん、偶数フレームの同期情報のマークにおいてＲＯＰＣを実行してもよい。ＬＰＰが奇数フレームに形成されている場合でも２つの奇数フレームの同期情報の１つはスペースとなっているため同様にＬＰＰの影響を回避できる。さらに、第ｉ番目と第ｉ＋１番目の同期情報はＤＳＶが最小となるようにその極性を設定しており、残りの第ｉ＋２番目及び第ｉ＋３番目の同期情報はこれらに応じてその極性が設定されるので、パターン発生のランダム性も確保され、ＤＶＤ−ＲＷ光ディスクに適用した場合に書き換え回数の劣化も抑制できる。もちろん、連続する３つの同期情報のうちの少なくとも１つはＤＳＶが最小となる極性に設定されるから、ＤＳＶが発散することもない。
【００４０】
本実施形態における同期情報の極性を例示すると、以下のパターンが存在し得る。
マーク→スペース→スペース→マーク→スペース→スペース→マーク→マーク
スペース→マーク→マーク→スペース→マーク→スペース→スペース→マーク
マーク→マーク→スペース→スペース→マーク→マーク→スペース→スペース
スペース→スペース→マーク→マーク→マーク→マーク→スペース→スペース
【００４１】
本実施形態では、第ｉ番目と第ｉ＋２番目の同期情報を対にし、第ｉ＋１番目と第ｉ＋３番目の同期情報を対にしてその極性を設定しており、第ｉ番目が奇数フレームか偶数フレームかは問わない。したがって、ＳＹＮＣ選択部１８ｇにおいて現在のフレームが奇数フレームであるか偶数フレームであるかを識別する必要がない。
【００４２】
＜第２実施形態＞
図７には、エンコーダ１８内のＳＹＮＣ選択部１８ｇにおける他の処理フローチャートが示されている。本実施形態では、連続する４つのフレームを１つの単位とし、連続する４つのフレームの最初のフレームの同期情報をＤＳＶ値に基づき設定し、残りのフレームの同期情報を最初のフレームの同期情報の極性に基づいて設定する。
【００４３】
まず、フレーム番号ｉを０に初期化し（Ｓ２０１）、第ｉ番目の同期情報についてはその極性をＤＳＶが最小となる極性に設定する（Ｓ２０２）。これにより、第０フレームの１４Ｔ同期情報は例えばスペースに設定される。次に、第ｉ＋１番目の同期情報については第ｉ番目の同期情報と反対の極性となるように設定する（Ｓ２０３）。これにより、第１フレームの１４Ｔ同期情報は例えばマークに設定される。次に、第ｉ＋２番目の同期情報についても第ｉ番目の同期情報と反対の極性になるように設定する（Ｓ２０４）。これにより、第２フレームの１４Ｔ同期情報もマークに設定される。次に、第ｉ＋３番目の同期情報については第ｉ番目の同期情報と同一の極性になるように設定する（Ｓ２０５）。これにより、第３フレームの１４Ｔ同期情報はスペースに設定される。以上のようにして連続する４つの同期情報についてその極性をマークあるいはスペースのいずれかに設定した後、フレーム番号ｉを４だけインクリメントし、再びＳ２０２〜Ｓ２０５の処理を繰り返す。
【００４４】
図８には、以上のようにして設定された１４Ｔ同期情報２００の様子が示されている。第０フレームはスペース、第１フレームはマーク、第２フレームはマーク、第３フレームはスペース、第４フレームはＤＳＶが最小となるようにマークに設定され、第５フレームはその反対極性のスペースに設定される。第０フレーム及び第２フレームがＬＰＰの形成される偶数フレームとすれば、それぞれスペース、マークとなっており、２つの偶数フレームの同期情報の１つは必ずスペースとなるためＬＰＰの影響を抑制できる。すなわち、スペース部分においてＬＰＰの欠落を防止できるとともに、１４Ｔ同期情報を確実に再生できる。また、第１フレーム及び第３フレームがＬＰＰの形成されない奇数フレームとすれば、それぞれマーク、スペースとなっており、２つの奇数フレームの同期情報の１つは必ずマークとなるためこの部分でＲＯＰＣを実行することができる。もちろん、偶数フレームのマークにおいてＲＯＰＣを実行してもよい。ＬＰＰが奇数フレームに形成されている場合でも２つのフレームの同期情報の１つは常にスペースとなっているため同様にＬＰＰの影響を回避できる。さらに、第ｉ番目の同期情報はＤＳＶが最小となるようにその極性を設定しており、残りの第ｉ＋１番目〜第ｉ＋３番目の同期情報はこれらに応じてその極性が設定されるので、パターン発生のランダム性もある程度確保され、ＤＶＤ−ＲＷ光ディスクに適用した場合に書き換え回数の劣化も抑制できる。また、連続する４つの同期情報のうちの１つはＤＳＶが最小となる極性に設定されるから、ＤＳＶ発散も抑制できる。
【００４５】
本実施形態における同期情報の極性を例示すると、以下のパターンが存在し得る。
マーク→スペース→スペース→マーク→スペース→マーク→マーク→スペース
スペース→マーク→マーク→スペース→マーク→スペース→スペース→マーク
マーク→スペース→スペース→マーク→マーク→スペース→スペース→マーク
スペース→マーク→マーク→スペース→スペース→マーク→マーク→スペース
【００４６】
本実施形態でも、第ｉ番目が奇数フレームか偶数フレームかは問わない。したがって、ＳＹＮＣ選択部１８ｇにおいて現在のフレームが奇数フレームであるか偶数フレームであるかを識別する必要がない。
【００４７】
＜第３実施形態＞
図９には、エンコーダ１８内のＳＹＮＣ選択部１８ｇにおけるさらに他の処理フローチャートが示されている。本実施形態では、連続する４つのフレームを１つの単位とし、連続する４つのフレームの最初のフレームの同期情報をＤＳＶ値に基づき設定し、残りのフレームの同期情報を最初のフレームの同期情報の極性に基づいて設定する。
【００４８】
まず、フレーム番号ｉを０に初期化し（Ｓ３０１）、第ｉ番目の同期情報についてはその極性をＤＳＶが最小となる極性に設定する（Ｓ３０２）。これにより、第０フレームの１４Ｔ同期情報は例えばスペースに設定される。次に、第ｉ＋１番目の同期情報については第ｉ番目の同期情報と同一の極性となるように設定する（Ｓ３０３）。これにより、第１フレームの１４Ｔ同期情報は例えばスペースに設定される。次に、第ｉ＋２番目の同期情報については第ｉ番目の同期情報と反対の極性になるように設定する（Ｓ３０４）。これにより、第２フレームの１４Ｔ同期情報はマークに設定される。次に、第ｉ＋３番目の同期情報についても第ｉ番目の同期情報と反対の極性になるように設定する（Ｓ３０５）。これにより、第３フレームの１４Ｔ同期情報はマークに設定される。以上のようにして連続する４つの同期情報についてその極性をマークあるいはスペースのいずれかに設定した後、フレーム番号ｉを４だけインクリメントし、再びＳ３０２〜Ｓ３０５の処理を繰り返す。
【００４９】
図１０には、以上のようにして設定された１４Ｔ同期情報２００の様子が示されている。第０フレームはスペース、第１フレームはスペース、第２フレームはマーク、第３フレームはマーク、第４フレームはＤＳＶが最小となるようにスペースに設定され、第５フレームはその同一極性のスペースに設定される。第０フレーム及び第２フレームがＬＰＰの形成される偶数フレームとすれば、それぞれスペース、マークとなっており、２つの偶数フレームの同期情報の１つは必ずスペースとなるためＬＰＰの影響を抑制できる。すなわち、スペース部分においてＬＰＰの欠落を防止できるとともに、１４Ｔ同期情報を確実に再生できる。また、第１フレーム及び第３フレームがＬＰＰの形成されない奇数フレームとすれば、それぞれスペース、マークとなっており、２つの奇数フレームの同期情報の１つは必ずマークとなるためこの部分でＲＯＰＣを実行することができる。偶数フレームのマークにおいてＲＯＰＣを実行してもよい。ＬＰＰが奇数フレームに形成されている場合でも２つのフレームの同期情報の１つは常にスペースとなっているため同様にＬＰＰの影響を回避できる。さらに、第ｉ番目の同期情報はＤＳＶが最小となるようにその極性を設定しており、残りの第ｉ＋１番目〜第ｉ＋３番目の同期情報はこれらに応じてその極性が設定されるので、パターン発生のランダム性もある程度確保され、ＤＶＤ−ＲＷ光ディスクに適用した場合に書き換え回数の劣化も抑制できる。また、連続する４つの同期情報のうちの１つはＤＳＶが最小となる極性に設定されるから、ＤＳＶ発散も抑制できる。
【００５０】
本実施形態における同期情報の極性を例示すると、以下のパターンが存在し得る。
スペース→スペース→マーク→マーク→スペース→スペース→マーク→マーク
マーク→マーク→スペース→スペース→スペース→スペース→マーク→マーク
【００５１】
当業者であれば、他のパターンも容易に想到し得よう。
【図面の簡単な説明】
【００５２】
【図１】実施形態に係る光ディスク装置の構成ブロック図である。
【図２】光ディスクにおけるランドとグルーブ及びプリピット、同期情報配置の説明図である。
【図３】同期フレームと同期情報の関係を示す説明図である。
【図４】図１におけるエンコーダの機能ブロック図である。
【図５】第１実施形態の処理フローチャートである。
【図６】第１実施形態の同期情報パターン説明図である。
【図７】第２実施形態の処理フローチャートである。
【図８】第２実施形態の同期情報パターン説明図である。
【図９】第３実施形態の処理フローチャートである。
【図１０】第３実施形態の同期情報パターン説明図である。
【符号の説明】
【００５３】
１０  光ディスク、１２  スピンドルモータ、１４  光ピックアップ、１６  ＬＤ駆動部、１８  エンコーダ、２０  コントローラ、２２  ＲＦ信号処理部、２４  デコーダ、２６  プリピット検出部、１００  プリピット、２００  同期情報。
【図１】
2006099879.tif 000003
【図２】
2006099879.tif 000004
【図３】
2006099879.tif 000005
【図４】
2006099879.tif 000006
【図５】
2006099879.tif 000007
【図６】
2006099879.tif 000008
【図７】
2006099879.tif 000009
【図８】
2006099879.tif 000010
【図９】
2006099879.tif 000011
【図１０】
2006099879.tif 000012